(57)【要約】【課題】  外壁パネル１２の不陸調整をきわめて簡単に行うことができ、外壁パネル１２を梁２に固定することができる外壁パネル取付構造１を提供する。【解決手段】  外壁パネル取付構造１は、Ｈ型鋼により形成された梁２のフランジ２ａ間に取り付けられる梁プレート３と、該梁プレート３に固定されるベースプレート５と、該ベースプレート５に逆ネジ部材６により連結される台座７と、前記台座７に回転可能に取付られており、当該台座７との間に外壁パネル１２の端部を挟持する外壁パネル支持片８と、を備え、前記逆ネジ部材６は、屋外側から操作することによりベースプレート５と台座７とを接近離反可能に取り付けられる。【選択図】図１
2010209640.tif 000002
【特許請求の範囲】
【請求項１】
Ｈ型鋼により形成された梁に取り付けられる梁プレートと、
該梁プレートに固定されるベースプレートと、
該ベースプレートに連結部材により連結される台座と、
前記台座に回転可能に取付られており、当該台座との間に外壁パネルの端部を挟持する外壁パネル支持片と、を備え、
前記連結部材は、屋外側から操作することにより前記ベースプレートと前記台座とを接近離反可能に取り付けられることを特徴とする外壁パネル取付構造。
【請求項２】
前記連結部材は、一端部と他端部が左右逆向きにネジ切られ、一端部が前記台座に螺合するとともに他端部が前記ベースプレートに螺合する逆ネジを形成しており、
前記一端部の先端に屋外側から外壁パネル間の縦目地を通して操作可能な操作部が設けられることを特徴とする請求項１に記載の外壁パネル取付構造。
【請求項３】
前記連結部材は、前記ベースプレートに螺合するとともに、前記台座に空転自在に貫通するボルト及び当該ボルトに外嵌されるナットからなり、
前記ボルトの先端が前記ベースプレートに螺合した状態で、前記ボルトのボルト頭及び前記ナットにより前記台座を挟んで固定するとともに、前記ボルト頭には屋外側から外壁パネル間の縦目地を通して操作可能な操作部が設けられることを特徴とする請求項１に記載の外壁パネル取付構造。
【発明の詳細な説明】
【技術分野】
【０００１】
この発明は、住宅等の建物における外壁パネル取付構造に関し、特に、建物の梁に外壁パネルを取り付ける外壁パネル取付構造に関する。
【背景技術】
【０００２】
従来より住宅等の建物の外壁パネルを建物躯体に取付ける方法として、屋内側から外壁パネルを取り付ける方法がある。しかし、取付位置によっては、外壁パネルの屋内側に梁が配置されているので、取付作業を行うことが困難な場合がある。また、外壁リフォームの際などで外壁パネルを取り外す際に、屋内側から外壁パネルを外すには屋内側の仕上材等を剥がす必要があり、作業が困難になる。
【０００３】
そこで、例えば特許文献１に示すように、屋外側から外壁パネルを取り付ける外壁パネル取付構造が種々提案されている。これによると、建物の構造躯体に、外壁パネルの端部を固定する押さえ片とこの押さえ片を取付ける基台とを設置した構成が記載されている。押さえ片は屋外側から外壁パネル間の目地を通して操作することで、外壁パネルを着脱自在に固定している。したがって、外壁パネルを屋外側から取り付けることができるとともに、外壁パネルを屋外側から取り外すことができる。
【先行技術文献】
【特許文献】
【０００４】
【特許文献１】特開２００８−１１１２５２号公報
【発明の概要】
【発明が解決しようとする課題】
【０００５】
ところで、外壁パネルを取付ける際には、意匠性の優れたものにするために、外壁パネル同士が面一になるように調整する必要がある。しかし、外壁パネルの調整を行うために一端外壁パネルを取り外してパネル裏面にスペーサを入れる作業を行うことは作業効率が悪い。
【０００６】
そこで、本発明は、外壁パネルの不陸調整をきわめて簡単に行うことができ、外壁パネルを梁に固定することができる外壁パネル取付構造を提供することを目的とする。
【課題を解決するための手段】
【０００７】
請求項１に記載の外壁パネル取付構造は、Ｈ型鋼により形成された梁のフランジ間に取り付けられる梁プレートと、該梁プレートに固定されるベースプレートと、該ベースプレートに連結部材により連結される台座と、前記台座に回転可能に取付られており、当該台座との間に外壁パネルの端部を挟持する外壁パネル支持片と、を備え、前記連結部材は、屋外側から操作することにより前記ベースプレートと前記台座とを接近離反可能に取り付けられることを特徴としている。
【０００８】
請求項２に記載の外壁パネル取付構造は、前記連結部材は、一端部と他端部が左右逆向きにネジ切られ、一端部が前記台座に螺合するとともに他端部が前記ベースプレートに螺合する逆ネジを形成しており、前記一端部の先端に屋外側から外壁パネル間の縦目地を通して操作可能な操作部が設けられることを特徴としている。
【０００９】
請求項３に記載の外壁パネル取付構造は、前記連結部材は、前記ベースプレートに螺合するとともに、前記台座に空転自在に貫通するボルト及び当該ボルトに外嵌されるナットからなり、前記ボルトの先端が前記ベースプレートに螺合した状態で、前記ボルトのボルト頭及び前記ナットにより前記台座を挟んで固定するとともに、前記ボルト頭には屋外側から外壁パネル間の縦目地を通して操作可能な操作部が設けられることを特徴としている。
【発明の効果】
【００１０】
請求項１に記載の外壁パネル取付構造によると、ベースプレートと台座とを連結する連結部材を屋外側から操作することにより、ベースプレートと台座とを接近離反させることができ、台座及びこの台座に回転可能に取付けられた外壁パネル支持片によって外壁パネルの端部が挟持されるので、連結部材を操作することにより屋外側から外壁パネルを屋外側又は屋内側に移動させることができる。したがって、極めて簡単に外壁パネルの不陸調整を行うことができる。
【００１１】
特に、この外壁パネル取付構造によると、ベースプレートをＨ型鋼により形成された梁のフランジ間に取り付けられる梁プレートに固定することにより梁のフランジ間のスペースを外壁の不陸調整に利用することができ、外壁パネルと建物の構造躯体との間に十分なスペースが無い場合にも、外壁パネルの不陸調整を行うことができる。
【００１２】
請求項２に記載の外壁パネル取付構造によると、連結部材は、一端部と他端部が左右逆向きにネジ切られ、一端部が前記台座に螺合するとともに他端部が前記ベースプレートに螺合する逆ネジを形成しており、前記一端部の先端に屋外側から外壁パネル間の縦目地を通して操作可能な操作部が設けられるので、屋外側から外壁パネル間の縦目地を通してドライバなどの工具を挿し込み連結部材を回転させると、外壁パネルを固定した台座が屋外側又は屋内側に移動させることができ、屋外側から極めて簡単に外壁パネルの不陸調整を行うことができる。
【００１３】
請求項３に記載の外壁パネル取付構造によると、台座はボルト頭とナットに挟まれて取付けられており、このボルトをベースプレートに対して締結方向に締めるとボルトがベースプレート内部に挿入されて台座もベースプレートに接近する方向に移動する。またボルトをベースプレートに対して弛緩方向に緩めるとボルトがベースプレート内部から出てくるので台座もベースプレートから離反する方向に移動する。したがって、極めて簡単に外壁パネルの不陸調整を行うことができる。
【図面の簡単な説明】
【００１４】
【図１】外壁パネル取付構造を側方から見た外観構成断面図。
【図２】ベースプレートの構成を説明する正面図。
【図３】ベースプレートの取付構造を説明するために梁及びベースプレートを上側から見た図。
【図４】連結部材としての逆ネジ部材の構成を説明する図。
【図５】台座及び外壁パネル支持片の構成を説明する正面図。
【図６】図１の外観構成断面図の逆ネジ部材を反時計回りに回転させた状態を説明する図。
【図７】外壁パネルを取り付ける状態を説明するために一方の外壁パネルを取付けた外壁パネル取付構造を屋外側から見た図。
【図８】図７の外壁パネル取付構造が他方の外壁パネルも取付けた状態を説明する図。
【図９】外壁パネルを取付けた状態を説明するために梁の上方から見た図。
【図１０】外壁パネルを屋外側に移動させるように不陸調整を行った状態を説明する図。
【図１１】別の実施形態の外壁パネル取付構造を説明する外壁パネル取付構造を側方からみた外観構成断面図。
【図１２】図１１の外壁パネル取付構造において、外壁パネルを屋外側に移動させる状態を説明する図。
【発明を実施するための形態】
【００１５】
以下、この発明における外壁パネル取付構造１について、各図を参照しつつ説明する。外壁パネル取付構造１は、図１に示すように、Ｈ型鋼により形成された梁２に外壁パネル１２を固定するものであり、例えば梁２のフランジ２ａ間などに固定される梁プレート３と、この梁プレート３に固定される取付金具４と、この取付金具４を介して梁プレート３に固定されるベースプレート５と、ベースプレート５に一端側が螺合する連結部材としての逆ネジ部材６と、この逆ネジ部材６によりベースプレート５に連結される台座７と、この台座７に回転可能に取付られており、台座７との間に外壁パネル１２の端部を挟持する外壁パネル支持片８と、を備えている。
【００１６】
梁プレート３は、梁２の屋外側のフランジ２ａの内側面又は外側面、及び梁２のウェブ２ｂの屋外側面に例えば溶接により固定された金属板状の部材であり、この梁プレート３の屋外側の端部に取付金具４が溶接により固定されている。なお、梁２と梁プレート３との固定は、溶接に限定されるものではなく例えば、ボルト及びナットのような他の固定手段で固定するものであってもよい。また梁プレート３と取付金具４との固定は、溶接に限定されず、ボルト止、バネ鋼による嵌合などの方法であってもよい。この梁プレート３及び取付金具４の中央には、孔が開いており逆ネジ部材６の先端が挿入可能に形成されている。なお、本実施形態においては、梁プレート３の固定箇所はフランジ２ａの内側面とウェブ２ｂの屋外側面に固定されているが、例えばＬ字状の梁プレート３をフランジ２ａの外側面に固定するものや梁２のウェブ２ｂにのみ固定するものなどいずれの箇所に取付けるものであってもよい。
【００１７】
ベースプレート５は、図２及び図３に示すように、両側部に設けられた貫通孔５ｂにより取付金具４にボルト固定された矩形金属板であって、その中央には右ネジの調整孔５ａが貫通している。連結部材としての逆ネジ部材６は、図４に示すように、中央の薄い鍔６ａを挟んで一方側に右ネジ６ｂが形成され、他方側に左ネジ６ｃが形成されたネジであり、一方側はベースプレート５の調整孔５ａに螺合する形状である。逆ネジ部材６の他方側の端部には図示しないがドライバなどの工具でこの逆ネジ部材６を回転することができるようにプラス又はマイナスのドライバ溝が形成されている。なお、ドライバ溝でなくてもよく、例えばレンチ等の工具で回転させることが可能な６角又は８角の穴又は突起であっても良い。
【００１８】
台座７は、図１及び図５に示すように、上下にそれぞれ外壁パネル支持片８が取付けられた平板状であって、その中央には逆ネジ部材６の他端側と螺合する左ネジの台座７側ネジ孔７ａが設けられている。外壁パネル支持片８は、台座７に貫通する軸部９と、一端が軸部９に回転可能に取り付けられる支持片本体１０と、支持片本体１０の回転を規制するように軸部９に外挿されるバネ１１とにより形成されている。
【００１９】
以上のように構成される外壁パネル取付構造１の逆ネジ部材６を反時計回りに回転させると、図６に示すように、逆ネジ部材６のベースプレート５と螺合する部分は右ネジ６ｂであるので、逆ネジ部材６はベースプレート５から屋外側に突き出す方向に移動する。そして、逆ネジ部材６の台座７と螺合する部分は左ネジ６ｃであるので、逆ネジ部材６が反時計回りに回転することで台座７が逆ネジ部材６に対して屋外方向に移動する。したがって、台座７はベースプレート５から離反する方向に移動する。一方、逆ネジ部材６を時計回りに回転させると、逆ネジ部材６のベースプレート５と螺合する部分は締まる方向に移動し、台座７は逆ネジ部材６に対して屋内方向に移動するので、台座７はベースプレート５に接近する方向に移動する。
【００２０】
この外壁パネル取付構造１を用いて外壁パネル１２を取り付けるときには、図７に示すように、一方の外壁パネル１２の端部を外壁パネル取付構造１の屋外側に保持して、上側の外壁パネル支持片８を回転させて、この外壁パネル１２の端部に形成された固定枠１３に固定する。そして、図８及び図９に示すように、他方の外壁パネル１２の端部を一方の外壁パネル１２の端部とやや間隙を開けて外壁パネル取付構造１の屋外側に保持して、下側の外壁パネル支持片８を回転させて、他方の外壁パネル１２の端部に形成された固定枠１３に固定する。以上のようにして外壁パネル取付構造１のほぼ中央に縦目地の間隙を開けて、外壁パネル１２は外壁パネル取付構造１に固定される。
【００２１】
外壁パネル１２の不陸を調整する際には、外壁パネル１２間の縦目地からドライバ又はレンチ等の工具を、逆ネジ部材６の屋外側端部に形成された図示しないドライバ溝等に挿し込んで、この逆ネジ部材６を回転させる。このとき外壁パネル１２を屋外側に移動させたい時には、逆ネジ部材６を反時計回りに回転させ、外壁パネル１２を屋内側に移動させたい時には、逆ネジ部材６を時計回りに回転させる。これにより図９及び図１０に示すように、外壁パネル１２は梁２に対して屋外方向又は屋内方向に移動することができ、外壁パネル１２の不陸を屋外側から極めて簡単に調整することができる。
【００２２】
なお、本実施形態においては逆ネジ部材６のベースプレート５と螺合する側を右ネジ６ｂとし、台座７と螺合する側を左ネジ６ｃとしているが、ベースプレート５と螺合する側を左ネジとし、台座７と螺合する側を右ネジとしてもよい。この場合、逆ネジ部材６を時計回りに回転させることで、外壁パネル１２を梁２から離反する方向に移動させることができ、逆ネジ部材６を反時計回りに回転させることで外壁パネル１２を梁２に接近する方向に移動させることができ、外壁パネル１２の不陸調整を行うことができる。
【００２３】
また、外壁パネル取付構造１は上述の実施形態に限られるものではなく、例えば、図１１に示すように、連結部材の構成を逆ネジ部材６に代えて、ベースプレート５に螺合するとともに、台座７に空転自在に貫通する不陸調整ボルト１４及びこの不陸調整ボルト１４に外嵌される固定ナット１５から構成されるものとしてもよい。この場合、不陸調整ボルト１４の先端がベースプレート５に螺合した状態で、不陸調整ボルト１４のボルト頭１６及び固定ナット１５により台座７を挟んで固定し、ボルト頭１６に例えば図示しないがドライバによって操作可能なマイナスやプラス等のドライバ溝、又はレンチによって操作可能な６角又は８角の穴又は突起が設けられる。
【００２４】
このように構成すると、不陸調整ボルト１４を緩める方向に回転させると、不陸調整ボルト１４の先端がベースプレート５から突き出す方向に移動する。そして、不陸調整ボルト１４は台座７に対して空転するとともに、ボルト頭１６と固定ナット１５とで台座７を挟んでいるので、台座７は不陸調整ボルト１４に対して屋外方向又は屋内方向に移動することは無い。したがって、不陸調整ボルト１４が屋外側に移動した分だけ台座７も屋外側に移動することになる。したがって、外壁パネル支持片８に固定されている外壁パネル１２もまた、屋外側に移動することになる。一方、不陸調整ボルト１４を締める方向に回転させると、不陸調整ボルト１４の先端がベースプレート５内に挿入される方向に移動する。そして、台座７及び外壁パネル支持片８によって台座７に固定されている外壁パネル１２もまた、屋内側に移動することになる。したがって、このような構成を用いたとしてもきわめて簡単に外壁パネル１２の不陸を調整することができる。
【００２５】
なお、本発明の実施の形態は上述の形態に限ることなく、本発明の思想の範囲を逸脱しない範囲で適宜変更することができることは云うまでもない。
【産業上の利用可能性】
【００２６】
本発明に係る外壁パネル取付構造１は、例えば住宅などにおいて、外壁パネル１２の不陸調整が必要な外壁パネル１２を梁２に固定する外壁パネル取付構造１として好適に用いることができる。
【符号の説明】
【００２７】
１    外壁パネル取付構造
２    梁
２ａ  フランジ
３    梁プレート
５    ベースプレート
６    逆ネジ部材（連結部材）
７    台座
８    外壁パネル支持片
１２  外壁パネル
１４  不陸調整ボルト（ボルト）
１５  固定ナット（ナット）
１６  ボルト頭
【図１】
2010209640.tif 000003
【図２】
2010209640.tif 000004
【図３】
2010209640.tif 000005
【図４】
2010209640.tif 000006
【図５】
2010209640.tif 000007
【図６】
2010209640.tif 000008
【図７】
2010209640.tif 000009
【図８】
2010209640.tif 000010
【図９】
2010209640.tif 000011
【図１０】
2010209640.tif 000012
【図１１】
2010209640.tif 000013
【図１２】
2010209640.tif 000014